(57)【要約】      （修正有）【課題】吸盤と押さえ部品の機能を統合でき、結び付きや取り外しができる吸盤式調整装置を提供する。【解決手段】吸盤が、円盤で、内縁に、吸着部品が設けられ、該吸盤の中央に、吸着部品と作動柄に接続される作動レバーが設けられ、連接部品が、吸盤の上端に設置され、また、連接部品上に、連接端があり、握り棒の一端に、摺動穴が形成され、摺動穴の後端に、制限ブロックが設けられ、下へ延ばして適当な位置に連接段が設けられ、推し棒が、握り棒上に枢着され、プッシュロッドは、多辺形柱体で、該プッシュロッドが、握り棒の摺動穴に貫通して、また、プッシュロッドの先端に、押さえ部材がロックされ、ストッパーは、プッシュロッドによって貫通され、握り棒の制限ブロックに位置付けられ、推し部品は、プッシュロッドによって貫通され、推し棒の上端に位置付けられ、該ストッパーと推し部品は、先端に、ともに弾性部品が設置され、連接段と連接部品とを結合する。【選択図】図２
0003143008.tif 000002
【実用新案登録請求の範囲】
【請求項１】
固定部品と押さえ部品を備え、固定部品が、吸盤と作動柄及び連接部品からなり、押さえ部品が、握り棒と推し棒、プッシュロッド、ストッパー及び推し部品からなる吸盤式調整装置において、
吸盤が、円盤で、内縁に、吸着部品が設けられ、該吸盤の中央に、吸着部品と作動柄に接続される作動レバーが設けられ、連接部品が、吸盤の上端に設置され、また、連接部品上に、連接端があり、握り棒の一端に、摺動穴が形成され、摺動穴の後端に、制限ブロックが設けられ、下へ延ばして適当な位置に連接段が設けられ、推し棒が、握り棒上に枢着され、プッシュロッドは、多辺形柱体で、該プッシュロッドが、握り棒の摺動穴に貫通して、また、プッシュロッドの先端に、押さえ部材がロックされ、ストッパーは、プッシュロッドによって貫通され、握り棒の制限ブロックに位置付けられ、推し部品は、プッシュロッドによって貫通され、推し棒の上端に位置付けられ、該ストッパーと推し部品は、先端に、ともに弾性部品が設置される、ことを特徴とする吸盤式調整装置。
【請求項２】
連接部品上に、連接端が設けられ、該連接端の適当な位置に、ネジが螺着されるための固定孔が形成されることを特徴とする請求項１に記載の吸盤式調整装置。
【請求項３】
握り棒に、連接段が設けられ、連接段に、リング状の固定槽が設けられることを特徴とする請求項１に記載の吸盤式調整装置。
【請求項４】
固定部品と押さえ部品が、固定孔と固定槽により連接され、該固定孔に螺着されるネジが、固定槽において摺動して、固定位置を調整してからネジを固く螺着できることを特徴とする請求項１に記載の吸盤式調整装置。
【請求項５】
連接端が、円形開口であり、該連接段に、連接端に合わせて、円形突出が形成されることを特徴とする請求項１に記載の吸盤式調整装置。
【請求項６】
連接端が、多辺形開口であり、該連接段に、連接端に合わせて、多辺形突出が形成されることを特徴とする請求項１に記載の吸盤式調整装置。
【請求項７】
ストッパーに、プッシュロッド棒径よりも大きい孔径が形成されることを特徴とする請求項１に記載の吸盤式調整装置。
【請求項８】
推し部品に、プッシュロッド棒径よりも大きい孔径が形成されることを特徴とする請求項１に記載の吸盤式調整装置。
【請求項９】
押さえ部材が、押さえ板であることを特徴とする請求項１に記載の吸盤式調整装置。
【請求項１０】
押さえ部材が、治具であることを特徴とする請求項１に記載の吸盤式調整装置。
【考案の詳細な説明】
【技術分野】
【０００１】
本考案は、吸盤式調整装置に関し、特に、吸盤と押さえ部品の調整装置を統合し、該吸盤上に、押さえ部品上の連接段に接続される連接部品が設けられ、快速に結び付きや取り外しができるものに関する。
【背景技術】
【０００２】
従来の固定部品は、真空吸引により、吸盤が、壁に吸付でき、また、吸盤に紐が付けられ、そして、紐で、装飾品や家具を結んで、装飾品や家具が、動揺により倒れるか落ちることを防止できるが、該吸盤と紐が、別々であるため、地震や台風の時、停電により、同時に、吸盤と紐を見つけることが容易ではなく、また、該紐を結ぶことに、時間がかかるし、また、その緊張度も、当時の力の大きさと紐結び技術により異なるため、快速に結び付きや取り外しができない。
【０００３】
本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００４】
本考案の主な目的は、吸盤と押さえ部品の調整装置を統合し、該吸盤上に、押さえ部品上の連接段に接続される連接部品が設けられ、該吸盤式調整装置により、品物や展示品が、固定され、快速に、結び付きや取り外しができる効果が得られる吸盤式調整装置を提供する。
【０００５】
本考案の他の目的は、連接段が、やや小さくて、連接端に挿設され、固定部品と押さえ部品が、固定孔と固定槽により接続され、該固定孔に螺着されるネジが、固定槽中を摺動でき、即ち、固定の位置を調整してからネジをロックすることにより、該固定部品と押さえ部品が、一体的に形成される吸盤式調整装置を提供する。
【課題を解決するための手段】
【０００６】
請求項１の考案は、固定部品と押さえ部品を備え、固定部品が、吸盤と作動柄及び連接部品からなり、押さえ部品が、握り棒と推し棒、プッシュロッド、ストッパー及び推し部品からなる吸盤式調整装置において、吸盤が、円盤で、内縁に、吸着部品が設けられ、該吸盤の中央に、吸着部品と作動柄に接続される作動レバーが設けられ、連接部品が、吸盤の上端に設置され、また、連接部品上に、連接端があり、握り棒の一端に、摺動穴が形成され、摺動穴の後端に、制限ブロックが設けられ、下へ延ばして適当な位置に連接段が設けられ、推し棒が、握り棒上に枢着され、プッシュロッドは、多辺形柱体で、該プッシュロッドが、握り棒の摺動穴に貫通して、また、プッシュロッドの先端に、押さえ部材がロックされ、ストッパーは、プッシュロッドによって貫通され、握り棒の制限ブロックに位置付けられ、推し部品は、プッシュロッドによって貫通され、推し棒の上端に位置付けられ、該ストッパーと推し部品は、先端に、ともに弾性部品が設置される、ことを特徴とする吸盤式調整装置である。
【０００７】
請求項２の考案は、連接部品上に、連接端が設けられ、該連接端の適当な位置に、ネジが螺着されるための固定孔が形成されることを特徴とする請求項１に記載の吸盤式調整装置である。
【０００８】
請求項３の考案は、握り棒に、連接段が設けられ、連接段に、リング状の固定槽が設けられることを特徴とする請求項１に記載の吸盤式調整装置である。
【０００９】
請求項４の考案は、固定部品と押さえ部品が、固定孔と固定槽により連接され、該固定孔に螺着されるネジが、固定槽において摺動して、固定位置を調整してからネジを固く螺着できることを特徴とする請求項１に記載の吸盤式調整装置である。
【００１０】
請求項５の考案は、連接端が、円形開口であり、該連接段に、連接端に合わせて、円形突出が形成されることを特徴とする請求項１に記載の吸盤式調整装置である。
【００１１】
請求項６の考案は、連接端が、多辺形開口であり、該連接段に、連接端に合わせて、多辺形突出が形成されることを特徴とする請求項１に記載の吸盤式調整装置である。
【００１２】
請求項７の考案は、ストッパーに、プッシュロッド棒径よりも大きい孔径が形成されることを特徴とする請求項１に記載の吸盤式調整装置である。
【００１３】
請求項８の考案は、推し部品に、プッシュロッド棒径よりも大きい孔径が形成されることを特徴とする請求項１に記載の吸盤式調整装置である。
【００１４】
請求項９の考案は、押さえ部材が、押さえ板であることを特徴とする請求項１に記載の吸盤式調整装置である。
【００１５】
請求項１０の考案は、押さえ部材が、治具であることを特徴とする請求項１に記載の吸盤式調整装置である。
【考案を実施するための最良の形態】
【００１６】
図１〜２を参照しながら、本考案は、固定部品１０と押さえ部品２０を備え、固定部品１０は、吸盤１１と作動柄１２及び連接部品１３からなり、吸盤１１は、円盤で、内縁に、吸着部品１１１が設けられ、図４のように、該吸盤１１の中央に、吸着部品１１１と作動柄１２に接続される作動レバー１１２が設けられ、連接部品１３が、吸盤１１の上端に設置され、また、連接部品１３上に、連接端１３１が設けられ、該連接端１３１の適当な位置に、ネジが螺着される固定孔１３２が形成され、該連接端１３１が、円形開口や多辺形開口であり、押さえ部品２０は、握り棒２１と推し棒２２、プッシュロッド２３、ストッパー２４及び推し部品２５を備え、握り棒２１の一端に、摺動穴２１１が設けられ、また、摺動穴２１１の後端に、制限ブロック２１２が設けられ、また、下へ伸ばす適当な位置に連接段２１３が設けられ、該連接段２１３に、リング状の固定槽２１４が設置され、連接段２１３が、連接端１３１に合わせて、円形突出や多辺形突出に形成され、推し棒２２が、グリップで、握り棒２１上に枢着され、プッシュロッド２３が、多辺形柱体で、該プッシュロッド２３が、握り棒２１の摺動穴２１１に貫通し、また、プッシュロッド２３の先端に、押さえ部材２３１が螺着され、該押さえ部材２３１が、押さえ板や治具で、ストッパー２４に、プッシュロッド２３棒径より大きい孔径が形成され、また、プッシュロッド２３を貫設することにより、握り棒２１の制限ブロック２１２に位置付けられ、推し部品２５に、プッシュロッド２３棒径より大きい孔径が形成され、プッシュロッド２３を貫設することにより、推し棒２２の上端に位置付けられ、該ストッパー２４と推し部品２５の先端に、ともに、弾性部品２６が設置される。
【００１７】
また、図３のように、固定部品１０の吸盤１１に、連接部品１３が設けられ、連接部品１３に、連接端１３１が形成され、押さえ部品２０は、握り棒２１と推し棒２２を枢着することにより、動揺可能になり、また、握り棒２１上に、摺動可能なプッシュロッド２３が設けられ、ｍた、該握り棒２１の適当な位置に、連接段２１３が設置され、該連接段２１３がやや小さくて連接端１３１に挿設され、固定部品１０と押さえ部品２０が、固定孔１３２と固定槽２１４により接続され、該固定孔１３２に螺着されるネジが、固定槽２１４中を摺動でき、即ち、固定したい位置を調整してからネジをロックして、該固定部品１０と押さえ部品２０が、一体的に形成される。
【００１８】
また、図４と図５のように、上記吸盤１１は、吸着部品１１１で、任意の滑らかな平面に吸付し、該吸盤１１上の作動柄１２を下へ推すと、該作動柄１２により、作動レバー１１２が上へ連動され、そして、作動レバー１１２により、吸着部品１１１が上へ連動され、また、吸着部品１１１の外縁が、受吸盤１１に抵当するため、吸着部品１１１が、内凹状に形成され、該内凹の空間に、気体が入れないため真空吸引に形成され、これにより、優れた吸付効果が得られ、該押さえ部品２０が、固定部品１０上に実装され、推し棒２２を握り棒２１に向かって移動させる時、該推し棒２２の上端により該推し部品２５の底端を押し、推し部品２５が、前に傾く角度になり、推し部品２５上の孔径がプッシュロッド２３より大きいため、推し部品２５が前へ傾斜する時、同期にプッシュロッド２３が前へ変位するように連動され、これにより、プッシュロッド２３が前方の物件１に抵当し、そして、ストッパー２４が、制限ブロック２１２により制限されるため、プッシュロッド２３が後へ変位できなく、また、該推し部品２３とストッパー２４は、弾性部品２６の弾力が印加されるため、作動前の位置に回復できなく、また、物件１を取り外す時、ストッパー２４を内側へ推すと、簡単に該プッシュロッド２３を引っ張ることができ、上記の構造により、該吸盤式調整装置は、物件１を結び付いて位置を固定することや展示する物品を結び付き、快速的に結び付きや取り外しができる効果が得られる。
【００１９】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２０】
【図１】本考案の立体図
【図２】本考案の立体分解図
【図３】本考案の固定部品の上面図
【図４】本考案の固定部品の作動概念図
【図５】本考案の押さえ部品の作動概念図
【符号の説明】
【００２１】
１      物件
１０    固定部品
１１    吸盤
１１１  吸着部品
１１２  作動レバー
１２    作動柄
１３    連接部品
１３１  連接端
１３２  固定孔
２０    押さえ部品
２１    握り棒
２１１  摺動穴
２１２  制限ブロック
２１３  連接段
２１４  固定槽
２２    推し棒
２３    プッシュロッド
２３１  押さえ部材
２４    ストッパー
２５    推し部品
２６    弾性部品
【図１】
0003143008.tif 000003
【図２】
0003143008.tif 000004
【図３】
0003143008.tif 000005
【図４】
0003143008.tif 000006
【図５】
0003143008.tif 000007